(57)【要約】【課題】  自動料金システムを利用すると、クーポンを取得できる利益が得られるようにして自動料金収受システムの車載装置の普及を図る。【解決手段】  ＩＣカード（ＥＴＣカード）５のメモリ部１５には、ＥＴＣ利用情報領域１５ｂとは別に電子クーポン情報領域１５ｃが設けられている。そして、ＥＴＣ車載器１を搭載した自動車２が有料道路を利用すると、有料道路を出る際の料金所で料金所設備６からＩＣカード５に電子クーポン情報が送信され、その電子クーポン情報はＩＣカード５のメモリ部１５の電子クーポン情報領域１５ｃに記憶される。ＩＣカード５を電子クーポンの発行元の端末２７に挿入して電子クーポン情報を提示すると、特典が与えられる。【選択図】  図１
2006293900.tif 000002
【特許請求の範囲】
【請求項１】
サービス或いは物品の提供に対する料金を徴収するための料金所に設置された路側装置と、
料金徴収情報を記憶するＩＣカードを装着可能で、前記路側装置との間で通信を行って前記ＩＣカードに対して料金徴収処理を行う車載装置とを備え、
前記ＩＣカードのメモリ部は、前記料金徴収情報を記憶する領域とは別に、電子クーポン情報を記憶する領域を有し、
前記路側装置は、前記提供したサービス或いは物品または徴収料金が電子クーポン発行条件を満たすとき、前記車載装置に電子クーポン情報を送信し、
前記車載装置は、前記路側装置から前記電子クーポン情報を受信したとき、これを前記ＩＣカードに書き込むことを特徴とする電子クーポン発行システム。
【請求項２】
前記電子クーポン発行条件は、電子クーポン提供者が定めることを特徴とする請求項１記載の電子クーポン発行システム。
【請求項３】
請求項１または２記載の電子クーポン発行システムにおいて使用する車載装置であって、
前記路側装置から電子クーポン情報を受信したとき、その電子クーポン情報を前記ＩＣカードに書き込むための電子クーポン情報書込み手段を有することを特徴とする車載装置。
【発明の詳細な説明】
【技術分野】
【０００１】
本発明は自動料金収受システムに使用される路側装置と車載装置とを利用して電子クーポンを発行するようにした電子クーポン発行システムおよびこのシステムに使用する車載装置に関する。
【背景技術】
【０００２】
自動料金収受（ＥＴＣ）システムの代表例として、有料道路の通行料収受システムがある。有料道路におけるＥＴＣ（Electronic Toll Collection）システムとは、有料道路のインターチェンジの料金所に路側装置を設置し、この路側装置と、車両に装備されたＥＴＣ車載装置との間で通信を行って前納方式のＩＣカード（ＥＴＣカード）から通行料金を差し引く、というシステムである。このシステムが普及すれば、料金所付近での車両渋滞が解消されると期待されている。
【０００３】
なお、本発明とは直接の関係はないが、電子クーポンの発行システムとして、特許文献１に開示されたものがある。これは、ある店舗でクーポンを発行した際に、その発行実績情報を管理用サーバに送信し、また、他の店舗でそのクーポンの対象商品を購入する際に、クーポン発行実績情報を検索し、適用可能なクーポン情報をもとに店舗側で割引サービスを行い、そのクーポン引換実績情報を管理用サーバに送信するというシステムである。
【特許文献１】特開平１１−１７５８５１号公報
【発明の開示】
【発明が解決しようとする課題】
【０００４】
ＥＴＣシステムを利用するには、自車両にＥＴＣ車載装置を搭載する必要がある。しかしながら、このＥＴＣ車載装置を搭載している車両は未だ少なく、更なる普及が望まれている。
そこで、本発明は、自動料金収受システムを利用すると、電子クーポンを取得できる利益が得られるようにして自動料金収受システムの車載装置の普及を図ることができる電子クーポン発行システムおよび車載装置を提供することを目的とする。
【課題を解決するための手段】
【０００５】
請求項１の発明は、サービス或いは物品の提供に対する料金を徴収するための料金所に設置された路側装置と、料金徴収情報を記憶するＩＣカードを装着可能で、前記路側装置との間で通信を行って前記ＩＣカードに対して料金徴収処理を行う車載装置とを備え、前記ＩＣカードのメモリ部は、前記料金徴収情報を記憶する領域とは別に、電子クーポン情報を記憶する領域を有し、前記路側装置は、前記提供したサービス或いは物品または徴収料金が電子クーポン発行条件を満たすとき、前記車載装置に電子クーポン情報を送信し、前記車載装置は、前記路側装置から前記電子クーポン情報を受信したとき、これを前記ＩＣカードに書き込むことを特徴とする電子クーポン発行システムにある。
この構成の電子クーポン発行システムによれば、自動料金収受システムを利用すると、クーポンを取得できる利益が得られるので、そのシステムに使用する車載装置の普及を図ることができる。
【０００６】
請求項２の発明は、電子クーポン発行システムにおいて、前記電子クーポン発行条件は、電子クーポン提供者が定めることを特徴とする。
この構成によれば、例えば観光地の店舗が電子クーポン提供者である場合、その店舗に立ち寄って電子クーポンを提示することで特典が得られるようにしておくことにより、その観光地、その店舗への再来を期待することができるようになる。
【０００７】
請求項３の発明は、前記路側装置から電子クーポン情報が送信されてきたとき、その電子クーポン情報を前記ＩＣカードに書き込むための電子クーポン情報書込み手段を有することを特徴とする車載装置にある。
この構成によれば、上記の電子クーポン発行システムと同様に電子クーポンを取得できる利益が得られるので、自動料金収受システムの車載装置の普及を図ることができる。
【発明を実施するための最良の形態】
【０００８】
以下、本発明の一実施形態を図面に基づいて説明する。
図１はＥＴＣシステムを利用したクーポン発行システムの構成を示すブロック図である。この図１において、車載装置としてのＥＴＣ車載器１は、自動車（車両）２のダッシュボードなどに取り付けられ、自動料金収受システムである有料道路用ＥＴＣシステムにより通行料金を自動決済する際に使用される。
【０００９】
有料道路用ＥＴＣシステムは、次のように構成されている。高速道路などの有料道路の料金所には、有料道路への入口となるゲート（入口側ゲート）と有料道路からの出口となるゲート（出口側ゲート）が設けられ、ＥＴＣ車載器１を搭載した自動車２は、有料道路に出入りする際、入口側路上アンテナ３、出口側路上アンテナ４が設けられたレーンのゲートを通るようになっている。
【００１０】
そして、有料道路に入る際には、ＥＴＣ車載器１は、入口側路上アンテナ３と通信して有料道路に入ったときの料金所（インターチェンジ）を示す番号（入路場所情報）を受信する。有料道路から出る際には、ＥＴＣ車載器１は、料金所の出口側路上アンテナ４と通信して通行料金を受信し、前納方式のＥＴＣカードとして利用されるＩＣカード５から通行料金を差し引く処理を行う（料金徴収処理）。この場合、路上アンテナ３，４を含む路側装置としての料金所設備６は、出口側路上アンテナ４がＥＴＣ車載器１と通信して入路場所情報を取得し、この入路場所から出路場所である当該料金所までの通行料金を算出し、出口側路上アンテナ４からＥＴＣ車載器１へ送信するようになっている。なお、ＥＴＣ車載器１と路上アンテナ３，４との間の通信は、狭域通信方式ＤＳＲＣ（Dedicated Short Range Communication）と呼ばれる通信システムが用いられる。
【００１１】
さて、ＥＴＣ車載器１は、制御部（制御手段）７、ＤＳＲＣ通信システムによる通信部（通信手段）８、表示部（表示手段）９、操作部（操作手段）１０、メモリ部（記憶手段）１１、カードＩ／Ｆ部１２、電源部１３などから構成されている。
上記制御部７は、ＣＰＵを主体とするもので、各種のアプリケーションプログラムを実行するように構成されている。この場合、ＥＴＣではセキュリティ上の理由で通信データを暗号化して処理するようにしており、制御部７は、その暗号化処理および復号化処理の機能を一体に備えた構成となっている。通信部８は、路上アンテナ３，４との通信を行う。表示部９は、例えば液晶表示器からなり、徴収された通行料金や残高、取得した電子クーポン情報などを表示する。
【００１２】
操作部１０は、押釦式スイッチなどからなる。メモリ部１１は、フラッシュメモリに代表されるＥＥＰＲＯＭからなり、読書き手段としての制御部７によって読書き処理が行われる。このメモリ部１１には、セットアップ時にセットアップパラメータが書き込まれると共に、通常運用時にはＥＴＣ車載器１の設定情報、ＩＣカード５の認証番号、通行料金徴収情報などが書き込まれるようになっている。
【００１３】
カードＩ／Ｆ部１２は、ＩＣカード５を装着する部分（カード装着部：図示せず）に設けられ、ＩＣカード５がカード装着部に差し込まれた際にＩＣカード５から認証データなどを読み取ったり、ＩＣカード５に課金情報や電子クーポン情報を書き込む際に情報の授受を行ったりする機能を有する。電源部１３は、図示しない車載バッテリを電源としてＥＴＣ車載器１に供給するための所定電圧の直流電源を生成する。
【００１４】
一方、ＩＣカード５は、制御部（制御手段）１４、メモリ部（記憶手段）１５、Ｉ／Ｆ部１６から構成されている。制御部１４は、ＣＰＵを主体として構成され、通行料金徴収処理のためのプログラムおよび電子クーポン情報送受のためのプログラムなどを実行する。メモリ部１５は、ＩＤ情報領域１５ａおよび通行料金徴収情報領域としてのＥＴＣ利用情報領域１５ｂの他、電子クーポン情報領域１５ｃが設けられ、読書き手段としての制御部１４により、ＩＣカード５の認証番号、通行料金徴収情報、電子クーポン情報などの読書きが行われるようになっている。Ｉ／Ｆ部１６は、ＥＴＣ車載器１のカードＩ／Ｆ部１２との間で各種情報の送受を行う。なお、ＩＤ情報領域１５ａおよびＥＴＣ利用情報領域１５ｂは厳重なセキュリティによって保護されているが、電子クーポン情報領域のセキュリティは低度のものとなっている。
【００１５】
さて、有料道路の各料金所に設けられた料金所設備６は、制御装置（制御手段）１７、ＥＴＣ利用情報データベース１８、電子クーポン情報データベース１９などを備えている。制御装置１７は、前述の路上アンテナ３，４を含む料金所設備６全体を統括制御する。ＥＴＣ利用情報データベース１８は、ＥＴＣ車載器１毎にそのＥＴＣシステムの利用情報、例えば有料道路へ入った或いは有料道路から出たＥＴＣ車載器１のＩＤ番号、その入出の時刻、有料道路から出たＥＴＣ車載器１の場合には徴収した通行料金などが格納されている。電子クーポン情報データベース１９は、その料金所において発行する電子クーポン、各電子クーポンの発行条件、各電子クーポンの発行日時および発行先であるＥＴＣ車載器１のＩＤ番号などが格納されている。
【００１６】
各料金所設備６は、インターネットなどの通信網２０を介して管理センター２１に接続されている。この管理センター２１には、制御装置（制御手段）２２、会員情報データベース２３、ＥＴＣ利用情報データベース２４、電子クーポン情報データベース２５、電子クーポン発行元情報データベース２６などが設けられている。会員情報データベース２３には、会員、本実施例ではＥＴＣ車載器１のユーザ（ＥＴＣシステムの利用者）の情報、例えば、ＥＴＣ車載器１のＩＤ番号、ユーザの住所、氏名、電話番号、電子メールアドレス、勤務先などの各種情報が格納されている。
【００１７】
管理センター２１の制御装置２２は、各料金所設備６の制御装置１７と定期的或いは随時通信しており、この通信によって各料金所設備６との間で各種情報を送受する。そして、制御装置２２は、各料金所から取得した情報をＥＴＣ車載器１毎のＥＴＣ利用情報、例えば利用した有料道路名、その有料道路に対する入出インターチェンジ（料金所）名、利用日時（入出日時）、徴収した通行料金などが格納されている。
【００１８】
また、電子クーポン情報データベース２５には、発行可能な電子クーポン、電子クーポンの発行元名、電子クーポンの発行条件、各料金所設備６との定期的な或いは随時行う通信によって取得した電子クーポンの発行日時および発行先であるＥＴＣ車載器１のＩＤ番号などが格納されている。電子クーポン発行元情報データベース２６には、電子クーポンの名称、電子クーポンの発行元の氏名または名称、発行開始日時および発行終了日時、発行条件、電子クーポンにより取得できる特典内容、電子クーポンの利用情報などが格納されている。
【００１９】
電子クーポンの発行元である店舗や施設などには、パソコンなどからなる発行元端末２７が設置されている。この発行元端末２７は、制御部（制御手段）２８、通信部（通信手段）２９、表示部（表示手段）３０、操作部（操作手段）３１、メモリ部（記憶手段）３２、カードＩ／Ｆ部３３などから構成されている。また、店舗や施設によっては、ＤＳＲＣ通信システム用の路上アンテナ３４を備えている。
【００２０】
制御部２８は、ＣＰＵを主体とするもので、各種のアプリケーションプログラムを実行する。通信部２９は、前記通信網２０を介して管理センター２１との通信を行う。表示部３０は、例えば液晶表示器からなり、電子クーポン発行の申込み画面などを表示する。操作部３１は、電子クーポンの発行を申請する際の入力を行ったり、電子クーポン利用時の各種操作を行ったりする場合に使用される。メモリ部３２は、発行した電子クーポンの内容や、ユーザによって利用された電子クーポン情報、例えば利用された電子クーポンの内容、発行日時、ユーザ情報であるＩＣカード５の認証番号、電子クーポンの利用日時、利用内容などが記憶される。
【００２１】
カードＩ／Ｆ部３３は、ＩＣカード５を装着する部分（カード装着部）に設けられ、ＩＣカード５がカード装着部に差し込まれた際にＩＣカード５から認証番号などを読み取ったり、利用された電子クーポン、その利用内容などをＩＣカード５に書き込む際に情報の送受を行ったりする機能を有する。路上アンテナ３４を備えている場合には、発行元端末２７は、この路上アンテナ３４を介してＥＴＣ車載器１と通信し、カードＩ／Ｆ３３が実行する上述の機能をＥＴＣ車載器１に委ねるようにしている。
【００２２】
次に上記構成の電子クーポン発行システムの作用を図２および図３に示すシーケンスをも参照しながら説明する。
店舗や施設が電子クーポンをユーザに発行するには、まず、管理センター２１に対して電子クーポン発行の申込みをする。この申込みは、次のようにして行う。電子クーポンの発行を希望する店舗や施設の担当者は、例えばパソコンを発行元端末２７として該発行元端末２７を管理センター２１の制御装置２２に接続する。管理センター２１の制御装置２２は、発行元端末２７に対して通信網２０を通じて電子クーポン発行のための申込み画面情報などを送信する。
【００２３】
そして、発行元端末２７の表示部３０に表示された申込み画面に従って発行元となる店舗や施設の名称および住所、最寄りのインターチェンジ名、電子クーポンの名称や内容（利用者が取得できる特典など）、電子クーポンの有効期限、電子クーポンの発行条件などを入力する。この場合の電子クーポンの発行条件としては、例えば発行元である店舗や施設の最寄りのインターチェンジで有料道路から出たこと或いはそのインターチェンジで有料道路に入ったこと、利用した２つのインターチェンジ（そのうちの１つは発行元の最寄りのインターチェンジ）間の距離、有料道路の利用回数などが挙げられる。なお、既に申し込み済みの電子クーポンについて更新する場合も、上記と同様に、管理センター２１から送信されてくる更新画面に従って所定の事項を入力するものである。
【００２４】
以上のようにして発行元端末２７から管理センター２１に対して電子クーポン発行の申込みを行う（図２のステップＳ１）。すると、管理センター２１の制御装置２２は、電子クーポン発行の申込みを受け付け（ステップＳ２）、発行元端末２７から送られてきた情報を電子クーポン情報データベース２５、電子クーポン発行元情報データベース２６に格納する（ステップＳ３）。次いで、制御装置２２は、各料金所設備６の制御装置１７に発行元端末２７から送られてきた情報を通信網２０を介して送信する（ステップＳ４）。  各料金所設備６の制御装置１７は、管理センター２１から送信されてきた情報を、電子クーポン情報データベース１９に格納する（ステップＳ５）。なお、既に格納されている電子クーポン情報についての更新の場合には、この更新情報に従って既に格納されている電子クーポン情報を更新する。
【００２５】
申込みを終了した電子クーポンの発行は次のようにして行われる。ＥＴＣ車載器１を搭載した自動車２で有料道路を利用する場合、ＥＴＣ車載器１のカード装着部にＩＣカード５を挿入する（ステップＡ１）。すると、ＥＴＣ車載器１の制御部７がカードＩ／Ｆ１２を介してＩＣカード５と通信してＩＣカード５のメモリ部１５に記憶されているセキュリティ情報、ＩＤ情報、ＥＴＣ利用情報などを読み取り（読取手段）、正常なセキュリティ状態にあるか否か、料金の残額は所定額以上あるか否かなどによって利用可能なＩＣカードであるか否かを判断する（ステップＡ２；利用可否判断手段）。
【００２６】
挿入されたＩＣカード５についてＥＴＣ車載器１の制御部７が利用の可否を判断すると、表示部９にその判断結果を表示する。ＩＣカード５が利用可であった場合、有料道路に入るために、自動車２が所望のインターチェンジの料金所の入口側路上アンテナ３が設置してあるレーンを走行してゲートを通過する。このとき、ＥＴＣ車載器１は、入口側路上アンテナ３と通信する（ステップＡ３）。料金所設備６の制御装置１７は、入口側路上アンテナ３を介するＥＴＣ車載器１との通信によってＥＴＣ車載器１のＩＤ番号を取得すると共に、上述したと同様にしてＩＣカード５の利用の可否を確認する（ステップＡ４）。
【００２７】
ＩＣカード５が利用可であることを確認した後、料金所設備６の制御装置１７は、入口側路上アンテナ３を介してＥＴＣ車載器１に入口通過情報を送信する（ステップＡ５）。この場合の入口通過情報としては、入口場所情報（料金所番号）、通過日時などである。入口通過情報を通信部８により受信すると、ＥＴＣ車載器１の制御部７は、その入口情報をメモリ部１１に記録する（ステップＡ６）と共に、ＩＣカード５にカードＩ／Ｆ１２を介して送信する。すると、ＩＣカード５の制御部１４が、取得した入口情報をメモリ部１５のＥＴＣ利用情報領域１５ｂに書き込む（ステップＡ７；書込み手段）。
【００２８】
さて、自動車２が所望のインターチェンジで有料道路から出るために、そのインターチェンジの料金所において、出口側路上アンテナ４が設置してあるレーンを走行してゲートを通過する。このとき、ＥＴＣ車載器１は、出口側路上アンテナ４と通信する（ステップＡ８）。料金所設備６の制御装置１７は、出口側路上アンテナ４を介するＥＴＣ車載器１との通信によってＥＴＣ車載器１のＩＤ番号を取得すると共に、前述したと同様にしてＩＣカード５の利用の可否を確認する（ステップＡ９）。
【００２９】
ＩＣカード５が利用可であることを確認した後、料金所設備６の制御装置１７は、ＥＴＣ車載器１から入口通過情報を読み取る（ステップＡ１０；読取手段）。そして、制御装置１７は、読み取った入口通過情報の料金所番号から有料道路に入ったインターチェンジを検知し、そのインターチェンジから出口である当該料金所のインターチェンジまでの距離（有料道路利用距離）に基づいた通行料金を算出する（徴収料金算出手段；ステップＡ１１）。次いで、制御装置１７は、有料道路利用距離、出口の料金所番号、出口通過日時（入口通過日時であっても良い。）、今回の通行料金、ＥＴＣシステムの利用回数などが、電子クーポン情報データベース１９に格納されている発行可能な電子クーポンの発行条件に適合しているか否かを判断し、適合している電子クーポンの内容を電子クーポン情報データベース１９から読み出す（ステップＡ１２）。
【００３０】
その後、制御装置１７は、出口通過情報（出口の料金所番号）と電子クーポン情報データベース１９から読み出した電子クーポンの内容（電子クーポン情報）とをＥＴＣ車載器１へ送信する（ステップＡ１３）。出口通過情報と電子クーポン情報とを受信したＥＴＣ車載器１の制御部７は、その出口通過情報と電子クーポン情報をメモリ部１１に記憶すると共に、ＩＣカード５にカードＩ／Ｆ１２を介して送信する（ステップＡ１４）。そして、ＥＴＣ車載器１の制御部７は、メモリ部１１に記憶したＥＴＣ利用情報のうち、今回の有料道路利用区間とその利用料金、および取得した電子クーポン情報を表示部９に表示する（ステップＡ１５）。
【００３１】
一方、ＩＣカード５の制御部１４は、受信した出口通過情報をメモリ部１５のＥＴＣ利用情報領域１５ｂに書き込んで残額から今回の通行料を差し引く料金徴収処理を行う（書込み手段）と共に、電子クーポン情報をメモリ部１５の電子クーポン情報領域１５ｃに書き込む（ステップＡ１６）。
【００３２】
さて、取得した電子クーポンの内容は表示部９の表示によって知ることができる。そして、その電子クーポンで取得できる特典を見て、電子クーポンの発行元の店舗や施設に行ってみようと思ったユーザは、例えばカーナビゲーション装置（図示せず）に電子クーポン提供者の住所や電話番号などを入力して当該場所を目的地に設定する。すると、カーナビゲーション装置が現在地から目的地までの経路を表示するので、その表示に従って電子クーポン提供者の店舗や施設に到着する。
【００３３】
そして、ＩＣカード５をＥＴＣ車載器１から取り出し（ステップＡ１７）、そのＩＣカード５を店舗や施設に提示する（ステップＡ１８）。店舗や施設の従業者は、提示されたＩＣカード５を発行元端末２７のカード装着部に挿入する。すると、発行元端末２７の制御部２８は、ＩＣカード５の電子クーポン情報領域１５ｃに記録されている電子クーポン情報を読み出して当該店舗や施設が自ら発行した電子クーポンであることを確認し（ステップＡ１９）、ユーザに特典を与え、特典を与えた電子クーポンについては、操作部３１によって利用済みの入力をする（電子クーポンの利用処理；ステップＡ２０）。
【００３４】
すると、発行元端末２７の制御部２８は、利用済みの入力に応答してＩＣカード５に対して電子クーポン情報領域１５ｃを特典に応じた内容に更新するように指示を出す。そして、ＩＣカード５の制御部１４は、更新指示に基づいてメモリ部１５の電子クーポン情報領域の内容を更新する（ステップＡ２１）。
なお、電子クーポンの特典としては、「７月１日から８月３１日までに当店の電子クーポンをお持ちになって来店された方に、当地方の名産品××を１個差し上げます。」といったものが考えられる。
【００３５】
以上のように、ＥＴＣ車載器１を装着して有料道路を走行した場合には、電子クーポンを取得でき、その特典を得ることができるので、電子クーポンの特典に種々なものが登場してくることによってＥＴＣ車載器１を装備する自動車の増加が期待できる。しかも、電子クーポンは、別のメモリカードに記憶させるのではなく、ＥＴＣカードであるＩＣカード５に記憶されるので、別途電子クーポン専用のカードを持つ必要がない。
【００３６】
なお、本発明は上記し且つ図面に示す実施例に限定されるものではなく、以下のような拡張或いは変更が可能である。
電子クーポンが使用された場合には、発行元端末２７から管理センター２１の制御装置２２にその旨をＩＣカード５の認証番号と共に送信するように構成しても良い。そして、電子クーポンが使用された場合、管理センター２１において、制御装置２２がＩＣカード５の認証番号を元に、会員情報データベース２３を検索してＥＴＣ車載器１のＩＤ番号、ひいては電子クーポンを使用したユーザを抽出し、そのユーザに礼状を郵送したり、電子メールで次に企画している電子クーポンの特典情報を送付したりするように構成しても良い。
自動料金収受システムは、有料道路の通行料金ばかりでなく、駐車場において、駐車料金を自動収受するシステムなどであっても良い。また、有料道路の使用や駐車場の使用などのサービスに対する料金に限られず、例えばいわゆるドライブスルーで食品を購入するように、物品の提供（購入）に対する料金を徴収する場合の自動料金収受システムなどであっても良い。
【図面の簡単な説明】
【００３７】
【図１】本発明の一実施形態を示すシステム全体のブロック図
【図２】電子クーポン発行の申込みの場合のシーケンス
【図３】電子クーポンの発行からその利用までを示すシーケンス
【符号の説明】
【００３８】
１はＥＴＣ車載器（車載装置）、２は自動車（車両）、３は入口側路上アンテナ、４は出口側路上アンテナ、５はＩＣカード、６は料金所設備（路側装置）、１４は制御部、１５はメモリ部、１５ｃは電子クーポン情報領域、２１は管理センター、２７は発行元端末である。
【図１】
2006293900.tif 000003
【図２】
2006293900.tif 000004
【図３】
2006293900.tif 000005